(57)【要約】【課題】本発明は、回転工具を操作するための歯科用治療器具に関する。【解決手段】治療器具は、回転工具のシャフトに連結するために設けられ、スリーブ状のガイドブッシュ（１）と、回転工具を固定するためのコレット（９）とを備えるヘッドドライブを有する。ガイドブッシュ（１）は、少なくとも１つの第１の軸方向領域において円筒形状の部分を形成する表面部分（３）を有する。表面部分（３）から半径方向外向きに面し、ガイドブッシュ（１）の内側輪郭に回転対称形状から逸脱した形状を与える凹部（４）が設けられている。表面部分（３）のおかげで、回転工具の円筒形シャフトを特に適切な方法で案内または支持することができる。凹部（４）は、回転工具の非円筒形シャフトの半径方向の突出部と係合するのにさらに適しているので、非円筒形シャフトは特に適切な方法で駆動することができる。したがって、本発明による処理は、特に高い対応要件を満たし、DIN EN ISO 1797によるシャフトの上述の不利益および弱点を相殺するために、対応するように修正されたシャフト形状を有する工具シャフト受け入れる可能性および標準的なアプリケーション用のDIN EN ISO 1797に準拠した工具を追加的に使用する可能性を提供する。【選択図】図２
2019528999.tif 000002
【特許請求の範囲】
【請求項１】
回転工具を操作するための歯科用治療器具であって、前記治療器具は、前記回転工具のシャフトに結合するために設けられ、かつスリーブ状のガイドブッシュ（１）を有するヘッドドライブを有し、
前記ガイドブッシュ（１）はガイドブッシュ（１）に挿入された回転工具を固定するためのコレットチャック（９）を有し、
前記ガイドブッシュ（１）は、少なくとも第１の軸方向領域（２）に、円筒形の一部を形成する表面部分（３）を有し、凹部（４）が設けられ、これらの表面部分（３）から半径方向外向きに面し、ガイドブッシュ（１）の内側輪郭に回転対称形状から逸脱した形状を与える
歯科用治療器具。
【請求項２】
請求項１に記載の歯科用治療器具であって、
前記ガイドブッシュ（１）は、第２の軸方向領域（５）を有し、その内側輪郭は、その直径（２Ｒ）に関して、第１の軸方向領域（２）の表面部分（３）によって形成される円筒形と同一である完全な円筒形を形成する
ことを特徴とする歯科用治療器具。
【請求項３】
請求項２に記載の歯科用治療器具であって、
前記第２の軸方向領域（５）の部分は前記コレットチャック（９）を含む
ことを特徴とする歯科用治療器具。
【請求項４】
請求項２または３に記載の歯科用治療器具であって、
前記第２の軸方向領域（５）の前記内側輪郭は、前記コレットチャック（９）によって部分的に形成されている
ことを特徴とする歯科用治療器具。
【請求項５】
請求項２から４のいずれか一項に記載の歯科用治療器具であって、
前記第１の軸方向領域（２）が前記工具のための入口開口部（６）に隣接している
ことを特徴とする歯科用治療器具。
【請求項６】
請求項２から５のいずれか一項に記載の歯科用治療器具であって、
前記第１の軸方向領域（２）の長さ（Ｌ１）が前記第２の軸方向領域（５）の長さ（Ｌ２）より短い
ことを特徴とする歯科用治療器具。
【請求項７】
請求項６に記載の歯科用治療器具であって、
前記第１の軸方向領域（２）の長さ（Ｌ１）が、前記第２の軸方向領域（５）の長さ（Ｌ２）の最大で２０％である
ことを特徴とする歯科用治療器具。
【請求項８】
請求項１から７のいずれか一項に記載の歯科用治療器具であって、
前記ガイドブッシュ（１）が、前記治療器具のヘッド領域（８）に回転可能に取り付けられ、治療器具の駆動手段と協働するベアリングスリーブまたは駆動スリーブ（７）を有する
ことを特徴とする歯科用治療器具。
【請求項９】
請求項８に記載の歯科用治療器具であって、
前記ガイドブッシュ（１）の前記第１の軸方向領域（２）が前記駆動スリーブ（７）の一体部分として構成されている
ことを特徴とする歯科用治療器具。
【請求項１０】
請求項８または９に記載の歯科用治療器具であって、
前記駆動スリーブ（７）が前記コレットチャック（９）よりも硬い物質からなる
ことを特徴とする歯科用治療器具。
【請求項１１】
請求項１から１０のいずれか一項に記載の歯科用治療器具であって、
前記凹部（４）は、軸方向に延びる細長い切欠きを形成する
ことを特徴とする歯科用治療器具。
【請求項１２】
請求項１１に記載の歯科用治療器具であって、
前記回転型の円周上に分布して、好ましくは均一に分布して複数の切欠きが設けられている
ことを特徴とする歯科用治療器具。
【請求項１３】
請求項１から１２のいずれか一項に記載の歯科用治療器具であって、
前記ガイドブッシュ（１）内に受容された回転工具に回転を伝達するための駆動手段を有する
ことを特徴とする歯科用治療器具。
【請求項１４】
請求項１３に記載の歯科用治療器具であって、
前記駆動手段が電気モーターを含む
ことを特徴とする歯科用治療器具。
【請求項１５】
請求項１３に記載の歯科用治療器具。
前記駆動手段がタービンを含む
ことを特徴とする歯科用治療器具。
【請求項１６】
請求項８に記載の特徴を有する、請求項１から１５のいずれか一項に記載の歯科用治療器具であって、
前記コレットチャック（９）が前記駆動スリーブ（７）の径方向凹部（７３）に挿入される
ことを特徴とする歯科用治療器具。
【請求項１７】
請求項５および９に記載の特徴を有する、請求項１６に記載の歯科用治療器具であって、
長手方向軸（Ｌ）に対して、コレットチャック（９）は、第１の軸方向領域（２）の入口開口部（６）とは反対側に配置されている
ことを特徴とする歯科用治療器具。
【請求項１８】
請求項８に記載の歯科用治療器具であって、
前記ガイドブッシュ（１）の前記第１の軸方向領域（２）が、前記駆動スリーブ（７）に挿入される別個の構成要素（１２）の助けを借りて構成される
ことを特徴とする歯科用治療器具。
【請求項１９】
請求項５に記載の特徴を有する、請求項１７に記載の歯科用治療器具であって、
長手方向軸（Ｌ）に対して、コレットチャック（９）は、入口開口部（６）とは反対側の別個の構成要素（１２）の側に配置されている
ことを特徴とする歯科用治療器具。
【発明の詳細な説明】
【技術分野】
【０００１】
本発明は、回転工具を操作するための歯科用治療器具に関するものである。
【背景技術】
【０００２】
従来技術から、歯科用治療器具および回転工具を使用して（天然または人工の）歯冠（クラウン）を除去することが知られている。この場合、これに必要な時間をできるだけ短く維持することが歯科診療の分野内で一般的に望ましい。対応する操作手順を適切に実現することを可能にするために、人工クラウンの異なる材料特性に適合する工具（ツール）市場には様々な工具（ツール）がある。クラウンは次のような種類に分類される。
【０００３】
・メタルクラウン（ゴールドクラウン、チタンまたはスチール）
・ベニアクラウン（メタルフレームワーク、セラミックベニア）
・フルセラミッククラウン（ジルコン、長石、ガラス、または酸化アルミニウムセラミックス）
・合成クラウン
【０００４】
ここでは回転工具はそれぞれの物質、使用材料とコーティングに合った切削形状の点で異なる。公知の回転工具はすべて、それ自体、標準ＤＩＮ ＥＮ ＩＳＯ １７９７（特にＤＩＮ ＥＮ ＩＳＯ １７９７−１およびＤＩＮ ＥＮ ＩＳＯ １７９７−２）に従う従来の円筒形シャフトを有する。
【０００５】
歯科用器具を駆動するために製造業者によって推奨されている回転速度は、高速コントラアングルハンドピースおよびタービンなどの高速で作動する器具によってのみ達成することができる。これらの機器には、圧入クランプ要素が組み込まれている。意図しない解放を防止し、したがって患者、施術者または第三者に対する危険を防止するために、クランプ要素は静止状態および動作状態の両方において工具（ツール）を定位置に保持する。
【０００６】
工具の刃先で発生するトルクは、圧入接続によってのみ吸収され、表面によって発生する一般的な摩擦トルクは終了する。形状嵌合接続も考えられる。
【０００７】
選択した工具刃先のデザイン、加工するクラウンの材質、クラウンの形状、および機器の設定回転速度に応じて、工具を使用した操作手順中に、クランプ要素に作用するジャーキー（jerky,けいれん）、ノッキング、引っ張りの衝撃が発生する可能性がある。ピーク負荷が低い場合でも、工具シャフトが滑ったり、クランプ領域で滑ったりして、シャフトの表面が損傷する可能性がある。
【０００８】
日常的には、滑らかで損傷のないシャフトのみを使用するという工具メーカーの指示はしばしば無視され、刃先がその機能を失うまで工具は使用される。これは器具またはクランプシステムの品質の低下のリスクを負う。実際には、市場での観察や顧客調査で知られているように、これは次の問題をもたらす。滑りによって発生する摩擦熱による器具の過熱、工具の詰まり、またはクランプ要素の保持力の欠如，または不十分な保持力への増大した努力でのみ治療器具から取り外すことができる工具、といった問題である。特に、これは関連する治療器具の寿命、すなわち例えばコントラアングルハンドピースの寿命に本質的に影響を及ぼす。
【０００９】
高速コントラアングルハンドピースおよびタービンの場合、低くて心地よい走行音、低いバー偏心および製品寿命は、個々の部品（コンポーネント）やアセンブリの品質によってかなり大きな影響を受ける重要な品質特性である。特に、回転部の質、ヘッドドライブやタービンローターなどの部品は、製品全体の品質に大きな影響を与える。これらのアセンブリの高い回転周波数の結果として、部品の形の理想的な状態からのほんのわずかな偏差、例えば、周囲のずれ、軸方向の振れ、半径方向の振れ、または同軸度に対する偏差は、製品全体の上記品質特性に大きな影響を与える可能性がある。
【００１０】
挿入された工具の固定に関しては、高速コントラアングルハンドピースとタービンは、一般的に匹敵する（同等の）構造設計を持っている。これは、工具を定位置に保持するためのクランプ要素と、工具を案内するための少なくとも１つの案内領域とを備える。さらに、手動力を使用して操作されるクランプ要素をイネーブルにする通常は軸方向に移動可能な要素がある。これらの部品を案内するのに役立つのは、ベアリングスリーブまたはドライブスリーブ、あるいは高速コントラアングルハンドピース用のいわゆるヘッドドライブまたはタービン用の軸（アクスル）である。滑らかなシャフトを備えた工具を永久的に安全な方法で案内し、保持することを可能にするために、高硬度の硬化可能なステンレス鋼または硬質コーティングを有するステンレス鋼‐しばしば超硬合金製‐で作られた部品はクランプシステムに組み込まれ、ベアリングスリーブにすでに組み込まれていて、互いに圧入および/または溶接されている。ここでもセラミック材料が使用されている。
【００１１】
ＤＥ １０ ２００４ ００７ ４１３ Ａ１は、ハンドピースヘッドを有する歯科用ハンドピースを開示しており、駆動可能な受け入れスリーブは回転可能に取り付けられており、その中に工具をそのシャフト領域によって押し込むことができる。歯付きクラッチが受けスリーブと工具シャフトとの間に作用してトルクを伝達する。工具シャフトが受けスリーブから滑り落ちるのを防止するように作用する、クラッチ要素としてボールを有する軸クラッチがあり、このために、工具に形成されたクラッチ穴に係合する。これにより、ボールと工具シャフトとの間のスポットクランプが達成される。
【先行技術文献】
【特許文献】
【００１２】
【特許文献１】ＤＥ １０ ２００４ ００７ ４１３ Ａ１
【発明の概要】
【発明が解決しようとする課題】
【００１３】
本発明は、回転工具を操作するための歯科用治療器具を提供することを目的とする。上記に概説した不利益に関して有利な特性を有する。特に、この治療器具は、例えば歯冠（クラウン）の除去において提示されるものなどの特に高い要件を満たすのに適していることが意図されている。
【００１４】
この目的は、独立請求項に記載の主題により本発明に従って達成される。本発明の特定の実施形態は従属請求項に記載されている。
【課題を解決するための手段】
【００１５】
本発明によれば、回転工具を操作するための歯科用治療器具が提供され、ここで治療器具は、回転工具のシャフトに連結するために設けられ、スリーブ状ガイドブッシュを有するヘッドドライブを有する。ガイドブッシュに挿入された回転工具を固定するために、ガイドブッシュはコレットチャックを備えている。この場合、ガイドブッシュは、少なくとも第１の軸方向領域において、円筒形の部分を形成する表面部分を有し、ここで凹部（くぼみ）が提供されている。これらは、これらの表面部分から半径方向外側に面し、ガイドブッシュの内側輪郭に回転対称形状から逸脱した形状を与える。
【００１６】
円筒形の部分を形成する表面部分の結果として、回転工具の円形円筒形シャフトの特に適切な案内または支持を実現することができる。さらに、凹部は、回転工具の非円形円筒形シャフト部分の半径方向突起の係合に適しているので、このタイプの非円形円筒形シャフト部分は形状適合輪郭によって特に適切に駆動することができる。したがって、本発明による治療器具は、一方では、対応する、特に高い要件を満たすために対応する「変更された」シャフト形状を有する工具（ツール）シャフトを受け入れること、およびDIN EN ISO 1797に準拠したシャフトの不利益と短所に対抗するための選択肢を提供し、他方では、DIN EN ISO 1797に準拠した工具（ツール）を標準的な用途に使用できるという選択肢がある。
【００１７】
この場合、ガイドブッシュは第２の軸方向領域を形成し、その内側輪郭はその直径に関して第１の軸方向領域の表面部分によって形成される円筒形と同一の完全な円筒形を形成するのが好ましい。これは円柱シャフトのその長手方向軸に沿った最も適切な案内に関して有利である。
【００１８】
第２の軸方向領域の部分は、好ましくはコレットチャックを含む。ロータリーの純粋に円筒形のシャフトは、したがって、コレットチャックによって所定位置に特に適切に固定することができる。特に、この目的のために、第２の軸方向領域の内側輪郭がコレットチャックによって部分的に形成されるように構成することができる。
【００１９】
第１の軸方向領域は好ましくは工具のための入口開口部に隣接している。したがって、対応する非円筒形のシャフトを有する回転工具をガイドブッシュに特に容易に導入することができる。シャフトが凹部と係合するための半径方向の係合要素を有するとき、その係合要素はシャフトの残りの部分に固定的に接続される。
【００２０】
長さまたは第１の軸方向領域の前記長さは、好ましくは、長さまたは第２の軸方向領域の前記長さより短い。したがって、工具シャフトの特に適切な案内を達成することができる。 例えば、第１の軸方向領域の長さは、最大でも第２の軸方向領域の長さの２０％である。
【００２１】
ガイドブッシュは、好ましくは、治療器具のヘッド領域に回転可能に取り付けられ、治療器具の駆動手段と協働するベアリングスリーブまたは駆動スリーブを有する。したがって、工具のシャフトへの特に効果的なトルク伝達を実現することができる。この場合、ガイドブッシュの第１の軸方向領域は、駆動スリーブの一体部分として構成されていることがさらに好ましい。これにより、特に直接的なトルク伝達が可能になる。
【００２２】
駆動スリーブは、コレットチャックよりも硬い物質からなることが好ましい。これは、トルク伝達に対する駆動スリーブの適合性および回転工具を固定するためのコレットチャックの適合性に関して有利である。
【００２３】
凹部は、好ましくは、軸方向に伸びる細長い切欠き（ノッチ）を形成する。この場合、複数の切欠き（ノッチ）がさらに好ましくは設けられ、それらは回転型の円周上に分布して、好ましくは均一に分布して配置される。これは製造の点で有利であり、これと共に、適切なトルク伝達を可能にする。
【００２４】
治療器具は、ガイドブッシュに収容された回転工具に回転を伝達するための駆動手段を有するのが好ましい。特に、これらの駆動手段は、電気モーター（電動機）またはタービンまたは空気供給／圧縮空気を含む。駆動手段は電気式または流体式であり得る。例えば、駆動手段はエアモーターを含むことができる。
【００２５】
コレットチャックは、駆動スリーブの径方向凹部に挿入されるのが好ましい。適切な製造オプションでは、これは駆動スリーブからコレットチャックへ、続いて工具へのトルク伝達に関して有利である。
【００２６】
長手方向軸に関して、コレットチャックは好ましくは入口開口部の反対側の第１の軸方向領域の側面に配置される。したがって、ガイドブッシュは、第１の軸方向領域と形状嵌合相互作用するように構成されているさらなるシャフト部分によって隣接されている円筒形シャフト部分を有する工具を固定するのに適している。
【００２７】
ガイドブッシュの第１の軸方向領域は、駆動スリーブ内に挿入される別個の構成要素を用いて構成されるのが好ましい。これは製造上有利である。この場合、長手方向軸線に関して、コレットチャックは、さらに好ましくは、入口開口部とは反対側の別個の構成要素の側に配置される。円筒形のシャフト部分とこれに隣接する別のシャフト部分とを備えた工具のための固定オプションに関しては、これは、第１の軸方向領域との形状適合相互作用にとって有利である。
【００２８】
本発明は、例示的な実施形態の助けを借りて、そして図面に関連付けて詳細に以下に説明される。
【図面の簡単な説明】
【００２９】
【図１ａ】本出願による治療器具のヘッド領域の側面図の概略図であり、ガイドブッシュの領域であって、工具シャフトを受けるのに役立つものは、断面として示されている。
【図１ｂ】図１ａに対応する断面図である。
【図２】図１ａの拡大詳細図である。
【図３】図１ａに示す線ＩＩＩ‐ＩＩＩに沿ったブッシュガイドの断面の概略図である。
【図４ａ】図１ａのイラストに対応する、ガイドブッシュの第１の軸方向領域がコレットチャックの一体部分として構成されている変形例のイラストである。
【図４ｂ】図４ａに対応する断面図である。
【図５】図４ａのイラストに対応する、ガイドブッシュの第１の軸方向領域が独立した構成要素の助けを借りて構成されているさらなる変形例のイラストである。
【図６】図５に示す構成要素の斜視断面図である。
【図７】長手方向軸に沿った図５に示す構成要素の図である。
【図８】図５に示す構成要素の変形例の斜視断面図である。
【図９】長手方向軸に沿った図１に示す構成要素の変形例の図である。
【発明を実施するための形態】
【００３０】
図１ａは、回転工具を操作するための本出願による歯科用治療器具のヘッド領域８の側面図の概略図を示す。図１ｂは対応する断面図を示す。治療器具は、例えば、コントラアングルハンドピース、特に高速コントラアングルハンドピース、またはタービンであり得る。
【００３１】
以下では略して工具とも称される回転工具は、例えば、バーとすることができる。 特に、工具は、治療器具のヘッド領域８内に押し込まれるように設けられたシャフト領域、あるいは略してシャフトを有する。
【００３２】
それ自体知られておりかつ慣用的であるように、治療器具は、ヘッド領域８に隣接しそして治療器具を保持するために提供されるハンドル部分を有することができる。ハンドル部の主軸１０のみが図１ａに示されている。
【００３３】
治療器具は、工具のシャフトに結合するために設けられたヘッドドライブを有し、特にヘッド領域８に配置され、スリーブ状のガイドブッシュ１を有する。工具のシャフトは、連結の目的でガイドブッシュ１内に押し込むことができるように構成されている。長手方向軸Ｌはガイドブッシュ１を通って規定される。この場合の構成は、工具が意図されたように治療器具に接続されるとき、すなわち、ガイドブッシュ１に挿入されるとき、工具のシャフトが長手方向軸Ｌに平行なシャフト軸と整列される。
【００３４】
図１ｂに示すように、ガイドブッシュ１は、ガイドブッシュ１内に収容された回転工具を固定するためのコレットチャック９を有する。特に、コレットチャック９は、ガイドブッシュ１から工具へのトルクの伝達が治療器具の操作のために適切に可能になるように、工具を軸方向に固定すると共にそれを固定するようにも構成される。
【００３５】
特に、ガイドブッシュ１が回転可能、例えば回転ベアリング１１によって回転可能であるようにガイドブッシュ１が治療器具のヘッド領域８に取り付けられ、それによって工具を駆動するために、工具のシャフトにトルクを伝達するように構成される。この目的のために、治療器具は、ガイドブッシュ１内に受容された工具にトルクまたは回転を伝達するための駆動手段を有することが好ましい。この場合、駆動手段は、特に電気モーターまたはタービンを含むことができる。
【００３６】
図２は、図１ａの拡大詳細図を示す。図３において、ガイドブッシュ１の断面図が長手方向軸線Ｌに対して垂直に、より正確には図１ａにおいてＩＩＩ‐ＩＩＩで示されたレベルで示されている。長手方向軸Ｌに沿って見られるように、ガイドブッシュ１は、少なくとも第１の長手方向部分２、ここでは第１の軸方向領域２として示される、円筒形の部分、特に円柱形の部分を形成する表面部分３を有し、その対称軸は長手方向軸Ｌと平行に延びている。図３において、参照符号Ｌは縦軸の位置を示し、前記円筒形の半径は参照符号Ｒで示されている。したがって、円筒形の直径は２Ｒである。この構成は、長手方向軸Ｌに垂直な断面で見られるように、表面部分３がそれぞれ中心角が少なくとも５°、特に好ましくは少なくとも１０°である円弧を描くような構成であることが好ましい。半径がＲである純粋に円筒形のシャフト部分を有する工具が表面部分３によって半径方向に特に適切に固定されることができるので、これは有利である。
【００３７】
さらに例として図３に図示されているように、表面部分３は、それらが好ましくは円筒形の円周に対して均等に分布するように形成される。図示の例では、表面部分３の数は１０である。数は、例えば、２〜３０、好ましくは４〜２０であり得る。
【００３８】
構成は、好ましくは、表面部分３がそれぞれ細長い形状を有し、特にそれらがそれぞれ長手方向軸Ｌと平行に延びるようなものである。
【００３９】
表面部分３から、長手方向軸Ｌに対して半径方向外側に向いていてガイドブッシュ１の内側輪郭に回転対称または円筒形の形状から逸脱した形状を与える凹部４が設けられまたは形成されている。
【００４０】
したがって、凹部４に対応する半径方向の係合要素を有するシャフトを有する工具は、この場合工具とガイドブッシュ１との間に対応する形状嵌合接続を確立することができるので、トルク伝達に特に適している。したがって、この種の工具を使用すると、治療器具は、例えばクラウンを取り外す過程で通常起こり得るような特に高いトルクを伝達するのに特に適している。特に、ガイドブッシュ１は、第１のシャフト領域、特に半径Ｒで純粋に円筒形の形状を有し、第２の領域で半径方向係合要素を有するシャフトで工具を固定するのに適している。この係合要素の半径方向の大きさは対応してＲよりも大きい。
【００４１】
しかしながら、この治療器具は、対応する係合要素を有するシャフトを用いて器具を操作するのに適しているだけでなく、純粋に円筒形のシャフト部分あるいは冒頭に述べた標準DIN EN ISO 1797に準拠したシャフトを備えた回転工具を操作するのにも適している。なぜなら、そのような純粋に円筒形のシャフトまたはシャフト部分は、それに対応してコレットチャックによって適切に固定され得るからである。
【００４２】
構成は、好ましくは、凹部４がそれぞれ細長い形状を有し、それらがそれぞれ長手方向軸Ｌに平行に延びるようになっている。例えば、凹部４は、細長い切欠き（ノッチ）を形成するか、または細長い切欠き（ノッチ）によって形成することができる。この場合、回転型の円周上に複数の切欠き（ノッチ）を設けることが好ましく、これらの切欠き（ノッチ）は分散して、好ましくは均等に分散して配置される。凹部４の数は、表面部分３の数と等しいことが好ましい。
【００４３】
この場合、形状適合外形は、例えばディスク接続、キー接続またはスプラインシャフト接続または歯付きシャフト接続などのキーシャフト接続またはプロファイルシャフト接続として設計することができる。形状適合接続は解放可能な接続であり、それらの適用分野の点で異なる。高いノッチ応力の場合には、平行な側面を有するキーまたはスプラインシャフト接続が好ましい。しかしながら、キー接続は、不適切な不均衡が高い回転速度で生じる可能性があるという点で不利である。とりわけ低背の高さに適している歯付きシャフト接続部または鋸歯状シャフト接続部は、低いノッチ応力に役立つ。製造の点では、それらは例えば打ち抜き加工によって有利に製造することができる。形状嵌合接続部で発生するピーク負荷はギアコンポーネントに分散され、スリップクラッチを介して均等化することができる。
【００４４】
製造面では、ガイドブッシュ１の記載された内側輪郭は、例えば、ブローチ加工、スプライス加工またはスタンピング加工によって有利に組み込むことができる。
【００４５】
第１の軸方向領域２から見て分かるように、ガイドブッシュ１の内側輪郭は、長手方向軸Ｌからの間隔が円筒形の半径Ｒよりも小さい部分を有していないように構成されていることが好ましい。特に、第１の軸方向領域２を見て分かるように、ガイドブッシュ１の内側輪郭は表面部分３と凹部４のみによって形成されるように構成されている。したがって、ガイドブッシュ１は、直径２Ｒの円筒形の工具シャフトを受け入れるのに特に適している。直径２Ｒは、ガイドブッシュ１が冒頭で述べた標準的なＤＩＮ ＥＮ ＩＳＯ １７９７に対応する工具シャフトを受け入れるのに好適であるように選択されるのが好ましい。
【００４６】
示された例および図１ａに示された場合のように、ガイドブッシュ１は、さらに長手方向軸Ｌに沿って見たときに、ここでは第２の軸方向領域５として示される第２の長手方向部分５を有し、その内側輪郭は完全な円筒形を形成する。この場合、この完全な円筒形の直径は、第１の軸方向領域２の表面部分３によって形成される円筒形の直径２Ｒに等しい。したがって、この第２の軸方向領域５は、対応するシャフトを案内するのに特に適している。
【００４７】
特に、ガイドブッシュ１は、第２の軸方向領域５の部分がコレットチャック９を含むように構成することができる。
【００４８】
コレットチャック９は、第２の軸方向領域５の一部とすることができる。第２の軸方向領域５の内側輪郭は、好ましくは部分的に、好ましくは少なくとも大部分がコレットチャック９によって形成される。図１ａおよび図２によって明らかにされるように、そこに示される例示的な実施形態において、第２の軸方向領域５の内側輪郭は、コレットチャック９によって主にまたはほとんど形成される。
【００４９】
第２の軸方向領域５は、第１の軸方向領域２に直接隣接することができる。あるいは、図１ａおよび図２に一例として描かれているように、長手方向軸Ｌに沿って見られるように第１の軸方向領域２と第２の軸方向領域５との間に中間部を有する。半径方向において、ガイドブッシュ１の内側輪郭は半径Ｒよりも長手方向軸Ｌから連続的にさらに離れている。
【００５０】
第１の軸方向領域２は、好ましくは工具用の入口開口部６に、特に直接隣接している。この場合、入口開口部６は、特にガイドブッシュ１を通してヘッド領域８の一部として構成されることが好ましい。長手方向軸Ｌに対して、第２の軸方向領域５は、入口開口部６とは反対側の第１の軸方向領域２の側に延びることが好ましい。図１ａおよび図２に関して、第２の軸方向領域５は、この意味では、第１の軸方向領域２の上方に延在し、入口開口部６は、第１の軸方向領域２の下側に形成されている。
【００５１】
長手方向軸Ｌに沿った第１の軸方向領域２の範囲‐ここでは第１の軸方向領域２の長さＬ１としても特定される‐は、長手方向軸Ｌに沿った第２の軸方向領域５の範囲よりも短いことが好ましい。例えば、第１の軸方向領域２の長さＬ１が、最大でも第２の軸方向領域５の長さＬ２の２０％であるようにすることができる。これは、工具シャフトの適切な案内（ガイダンス）に有利である。
【００５２】
例として図１ｂに示されるように、コレットチャック９は、さらに好ましくは、実質的に長手方向軸Ｌに沿って延びる少なくとも１つの間隙が形成されている端部９１を含む。治療器具はさらに好ましくは楔状係合要素９８を有し、それはヘッド領域８内で長手方向軸Ｌと平行に移動可能に取り付けられ、それによって少なくとも１つの間隙内でより多くまたはより少なく係合し得る。この場合、コレットチャック９は弾性を有するように構成されているので、端部９１の内側輪郭の径方向直径は、係合要素９８の前後運動によって減少または増大させることができる。したがって、コレットチャック９の端部９１の内側輪郭の直径を小さくすることによって、ガイドブッシュ１に挿入される工具の純粋に円筒形のシャフト部の前記固定が達成され、工具が操作のためにガイドブッシュ１に適切に固定され配置されるようになる。直径を大きくすることによって、固定状態を解除することができるので、使用後に工具を簡単に、特に手動でガイドブッシュ１から再び取り外すことができる。
【００５３】
長手方向軸Ｌに対して、コレットチャック９の端部部分９１は、第１の軸方向部分２とは反対側の第２の軸方向部分５の側面上に延びているのが好ましい。図１ｂに示すように、この意味でコレットチャック９の端部９１は第２の軸方向部分５の上方に延びている。
【００５４】
さらに、ガイドブッシュ１は、さらに好ましくは、ヘッド領域８に回転可能に取り付けられた軸受スリーブまたは駆動スリーブ７を有し、駆動スリーブ７は、特に直接的なトルク伝達が可能になるように治療器具の駆動手段と協働する。この場合、図１ａに示す例示的実施形態では、ガイドブッシュ１の第１の軸方向領域２は、駆動スリーブ７の一体部分として構成されている。したがって、トルクが特に工具のシャフトに直接伝達されることが達成され得る。
【００５５】
長手方向軸Ｌに対して、コレットチャック９は、第１の軸方向領域２の入口開口部６とは反対側に配置されることが好ましい。
【００５６】
図１ｂの概略図に関して、この意味でコレットチャック９は第１の軸方向領域２の上方に配置され、一方、入口開口部６は第１の軸方向領域２の下側に形成されている。
【００５７】
駆動スリーブ７は、好ましくは、コレットチャック９よりも硬い物質からなる。言い換えれば、コレットチャック９は、駆動スリーブ７よりも柔らかい物質からなる。これは、コレットチャック９が締結工具（ツール）に特に適しているので有利である。
【００５８】
図１ａおよび図１ｂに描かれた構成では、コレットチャック９は、駆動スリーブ７またはガイドブッシュ１の残りの部分に挿入される、特に固定的かつ恒久的に挿入される、例えば押し付けられる別個の構成要素として構成される。例えば図１ｂによって明らかにされるように。ガイドブッシュ１は駆動スリーブ７とコレットチャック９とからなることができる。
【００５９】
例えば、図１ａによって明らかにされるように、第２の軸方向領域５は、部分的に駆動スリーブ７によって形成され、さらに部分的にコレットチャック９によって形成され得る。図２に関して、第２の軸方向領域５の下部は駆動スリーブ７のみによって形成され、第２の軸方向領域５の上部はコレットチャック９によって半径方向内側にかつ駆動スリーブ７によって半径方向外側に形成される。
【００６０】
上述したように、コレットチャック９は駆動スリーブ７内に挿入、例えば押圧することができる。特にこの目的のために、駆動スリーブ７はコレットチャック９がそれに応じて挿入される半径方向凹部７３を有することができる。
【００６１】
ここでの構成は、駆動スリーブ７が特に長手方向軸Ｌに対して垂直に配向された平面内に延びる肩面７１を有し、この肩面７１がコレットチャック９のための支持面（座面）を形成するような構成がさらに好ましい。
【００６２】
図１ｂおよび図２によってさらに明らかにされるように、この場合の構成は、長手方向断面λ内の長手方向軸Ｌに対して、凹部７３が、コレットチャック９と直接接触するための特に円柱状の接触面を形成し、その結果、作動中、駆動スリーブ７からコレットチャック９へのトルク伝達がこの接触面を介して行われる。このため、図２に描かれているように長手方向断面λは第２の軸方向領域５内に位置しているのが好ましい。
【００６３】
この場合、治療器具の意図された操作上の使用中にコレットチャック９を駆動スリーブ７から分離することができないように構成することがさらに好ましい。すなわち、これは損傷なしには不可能である、例えば。
【００６４】
半径方向の間隙７９が、コレットチャック９の端部９１と駆動スリーブ７との間に形成されているのが好ましい。端部９１の内側輪郭の直径が増大するとき、この間隙は、コレットチャック９の端部９１の上記の動きに対して有利である。
【００６５】
図４ａにおいて、図１ａよる構成の変形例が示されており、参照符号は上記と同様に使用される。 図４ｂは対応する断面図を示す。この構成では、第１の軸方向領域２の内側輪郭は、コレットチャック９によって完全に形成される。したがって、特に表面部分３および凹部４は、コレットチャック９によって完全に形成される。換言すれば、第１の軸方向領域２は、コレットチャック９によって半径方向内側に形成され、駆動スリーブ７によって半径方向外側に形成されている。
【００６６】
この場合、コレットチャック９が駆動スリーブ７に固定的に接続されるように、特に治療器具の意図された操作上の使用中に駆動スリーブ７からコレットチャック９を分離することができないように構成されることが好ましい。すなわちこれは損傷なしには不可能である。したがって、駆動スリーブ７とコレットチャック９との間の特に適切なトルク伝達を特に適切に達成することができる。
【００６７】
図５はさらなる変形例を示す。ガイドブッシュ１の第１の軸方向領域２は、ここでは別個の構成要素１２を用いて構成されており、これは、最後の例におけるコレットチャック９と同様に、対応して固定的に駆動スリーブ７に挿入される。第１の軸方向領域２は、構成要素１２によって半径方向内側に形成され、駆動スリーブ７によって半径方向外側に形成されている。
【００６８】
さらに図５によって明らかにされるように、長手方向軸Ｌに対して、コレットチャック９は、ここでは、入口開口部６とは反対側の別個の構成要素１２の側に配置されている。図５の概略図に示すように、この意味でコレットチャック９は構成要素１２の上方に配置されている。
【００６９】
図６は、図５に示す構成要素１２の斜視断面図を示す。図７は、長手方向軸Ｌに沿った構成要素１２の図を示す。この場合、概略図として、凹部４が長手方向軸Ｌに沿った構成要素１２の長手方向範囲のサブ領域にわたって単に延びるように構成することができる。その長手方向範囲の更なるサブ領域にわたって、構成要素１２は、上記と同様に、完全に半径Ｒの円柱形の内側を有する。このさらなるサブ領域は順に、それに応じて、対応する円筒形の工具シャフトを案内するために役立つ。
【００７０】
第１のサブ領域と凹部４との間、および円柱状の内側輪郭を有する最後のサブ領域との間に、第２の部分を構成することができ、その境界壁は半径方向から見て半径Ｒよりも長手方向軸Ｌから連続的にさらに遠くにある。 
【００７１】
図８は、図５に示す構成要素の変形例の斜視断面図を示す。ここでは参照符号１２´で示されている。図９は、長手方向軸に沿ったこの構成要素１２´の図を示す。この構成では、内側に形成された構造は、それがそうであるように連続的に構成され、すなわち、それは構成要素１２´の長手方向の範囲全体にわたって延びる。
【００７２】
さらに、クランプ部はそれ自体公知の方法で構成することができる。例えば、工具を解放するためまたは工具交換のために、それ自体知られている対応する押しボタン作動を提供することができる。
【００７３】
駆動スリーブ７は、特に４５０ＨＶより大きい硬度グレードを有する硬化性ステンレス鋼からなることができる。コレットチャック９は硬化性ステンレス鋼からなることができる。コレットチャック９は、それが２２Ｎより大きいクランプ力を有するように構成することができる。構成要素１２は、例えば、硬化可能なステンレス鋼、または、例えば、硬質金属からなることができる。
【００７４】
本出願による治療器具を用いて、特に以下の利点を達成することができる。
【００７５】
・発生するトルクを吸収して滑りを防止できる。
・滑りを防止することで、特に形状嵌合接続部での摩擦による追加の加熱を防ぐことができる。
・クランプシステムは損傷から保護されているため、信頼性の高い機能を保証できる。
・工具シャフトは損傷から保護されているため、工具の詰まりや取り外しが困難な工具の問題を実質的に防止できる。
・治療器具は、高速コントラアングルハンドピースまたはタービンとして有利に構成することができる。
・クランプシステムでは、特に同等のシリーズ機器のクランプシステムと比較して、特に長い耐用年数を達成できる。
・既知のヘッドハウジングの多くの標準部品を使用することができる。
・形状適合接続のオプションにもかかわらず、DIN EN ISO 1797 に準拠した標準工具を代わりに使用することもできる。
・この場合、工具のクランプシステムへの慣習的な迅速で（事実上）位置に依存しない挿入がさらに可能になる。
・工具交換は通常の押しボタンで可能である。
・工具は駆動スリーブまたはガイドブッシュに安全かつしっかりと固定されている。これは、低いバー偏心度および適切な滑らかさに関して有利である。
【図１ａ】
2019528999.tif 000003
【図１ｂ】
2019528999.tif 000004
【図２】
2019528999.tif 000005
【図３】
2019528999.tif 000006
【図４ａ】
2019528999.tif 000007
【図４ｂ】
2019528999.tif 000008
【図５】
2019528999.tif 000009
【図６】
2019528999.tif 000010
【図７】
2019528999.tif 000011
【図８】
2019528999.tif 000012
【図９】
2019528999.tif 000013
【国際調査報告】
2019528999.tif 000014
2019528999.tif 000015
2019528999.tif 000016
2019528999.tif 000017
2019528999.tif 000018
2019528999.tif 000019